(57)【要約】【課題】個々の流通業者が仕入商品の適正な選定を行えるようにする。【解決手段】個々の流通業者のＰＯＳシステムが接続するネットワークに接続されるサーバであって、  流通業界全体のＰＯＳ情報を保管する保管手段と、  対象となる商品アイテム或いは商品ジャンルと対象期間とについて、個々の流通業者のＰＯＳ情報を、個々の流通業者のＰＯＳシステムから受信する受信手段と、  対象となる商品アイテム或いは商品ジャンルと対象期間とについて、流通業界全体のＰＯＳ情報を、保管手段から読み出す読出手段と、  受信した個々の流通業者のＰＯＳ情報と、読み出した流通業界全体のＰＯＳ情報とを比較する比較手段と、  比較結果を個々の流通業者のＰＯＳシステムに送信する送信手段とを備え、  前記比較結果は、仕入商品を選定する為の検討材料として個々の流通業者に用いられることを特徴とする仕入商品選定支援サービスサーバ。【選択図】図１
2009003508.tif 000002
【特許請求の範囲】
【請求項１】
個々の流通業者のＰＯＳシステムが接続するネットワークに接続されるサーバであって、
流通業界全体のＰＯＳ情報を保管する保管手段と、
対象となる商品アイテム或いは商品ジャンルと対象期間とについて、個々の流通業者のＰＯＳ情報を、個々の流通業者のＰＯＳシステムから受信する受信手段と、
対象となる商品アイテム或いは商品ジャンルと対象期間とについて、流通業界全体のＰＯＳ情報を、保管手段から読み出す読出手段と、
受信した個々の流通業者のＰＯＳ情報と、読み出した流通業界全体のＰＯＳ情報とを比較する比較手段と、
比較結果を個々の流通業者のＰＯＳシステムに送信する送信手段とを備え、
前記比較結果は、仕入商品を選定する為の検討材料として個々の流通業者に用いられることを特徴とする仕入商品選定支援サービスサーバ。
【請求項２】
個々の流通業者のＰＯＳシステムが接続するネットワークに接続されるサーバが実行する方法であって、
流通業界全体のＰＯＳ情報を保管手段で保管する工程と、
対象となる商品アイテム或いは商品ジャンルと対象期間とについて、個々の流通業者のＰＯＳ情報を、個々の流通業者のＰＯＳシステムから受信する工程と、
対象となる商品アイテム或いは商品ジャンルと対象期間とについて、流通業界全体のＰＯＳ情報を、保管手段から読み出す工程と、
受信した個々の流通業者のＰＯＳ情報と、読み出した流通業界全体のＰＯＳ情報とを比較する工程と、
比較結果を個々の流通業者のＰＯＳシステムに送信する工程とを含み、
前記比較結果は、仕入商品を選定する為の検討材料として個々の流通業者に用いられることを特徴とする仕入商品選定支援サービス方法。
【請求項３】
個々の流通業者のＰＯＳシステムが接続するネットワークに接続されるサーバに、
流通業界全体のＰＯＳ情報を保管手段で保管する工程と、
対象となる商品アイテム或いは商品ジャンルと対象期間とについて、個々の流通業者のＰＯＳ情報を、個々の流通業者のＰＯＳシステムから受信する工程と、
対象となる商品アイテム或いは商品ジャンルと対象期間とについて、流通業界全体のＰＯＳ情報を、保管手段から読み出す工程と、
受信した個々の流通業者のＰＯＳ情報と、読み出した流通業界全体のＰＯＳ情報とを比較する工程と、
比較結果を個々の流通業者のＰＯＳシステムに送信する工程とを実行させ、
前記比較結果は、仕入商品を選定する為の検討材料として個々の流通業者に用いられることを特徴とする仕入商品選定支援サービスプログラム。
【発明の詳細な説明】
【技術分野】
【０００１】
本発明は、個々の流通業者の仕入商品選定を支援する技術に関する。
【背景技術】
【０００２】
一般に、ＰＯＳシステムは、店舗で商品を販売するごとに商品の販売情報を記録し、その集計結果を在庫管理やマーケティング材料に用いることができるものである。
【０００３】
ＰＯＳシステムには、緻密な在庫・受発注管理ができるようになるほか、複数の店舗の販売動向を比較したり、天候と売り上げを重ね合わせて傾向をつかむなど、他のデータと連携した分析・活用が容易になるというメリットがある。
【０００４】
このため、ＰＯＳシステムは、特にフランチャイズチェーンなどでマーケティング材料を収集するシステムとして注目されている。
【０００５】
しかしながら、個々の流通業者が自分の店舗が他の流通業者や流通業界一般と販売動向でどのような違いがあるのかを容易に知りえるツールやサービスはこれまで出回っていない。このため、個々の流通業者の取り扱い商品が本当に売れ筋商品であるかどうかを把握できず、個々の流通業者にとって仕入商品の適正な選定を行うことが難しい。
【発明の開示】
【発明が解決しようとする課題】
【０００６】
本発明は斯かる背景技術に鑑みてなされたもので、個々の流通業者が仕入商品の適正な選定を行えるようにすることを課題とする。
【課題を解決するための手段】
【０００７】
本発明において上記課題を解決するために、まず請求項１の発明では、
個々の流通業者のＰＯＳシステムが接続するネットワークに接続されるサーバであって、
流通業界全体のＰＯＳ情報を保管する保管手段と、
対象となる商品アイテム或いは商品ジャンルと対象期間とについて、個々の流通業者のＰＯＳ情報を、個々の流通業者のＰＯＳシステムから受信する受信手段と、
対象となる商品アイテム或いは商品ジャンルと対象期間とについて、流通業界全体のＰＯＳ情報を、保管手段から読み出す読出手段と、
受信した個々の流通業者のＰＯＳ情報と、読み出した流通業界全体のＰＯＳ情報とを比較する比較手段と、
比較結果を個々の流通業者のＰＯＳシステムに送信する送信手段とを備え、
前記比較結果は、仕入商品を選定する為の検討材料として個々の流通業者に用いられることを特徴とする仕入商品選定支援サービスサーバとしたものである。
【０００８】
また請求項２の発明では、
個々の流通業者のＰＯＳシステムが接続するネットワークに接続されるサーバが実行する方法であって、
流通業界全体のＰＯＳ情報を保管手段で保管する工程と、
対象となる商品アイテム或いは商品ジャンルと対象期間とについて、個々の流通業者のＰＯＳ情報を、個々の流通業者のＰＯＳシステムから受信する工程と、
対象となる商品アイテム或いは商品ジャンルと対象期間とについて、流通業界全体のＰＯＳ情報を、保管手段から読み出す工程と、
受信した個々の流通業者のＰＯＳ情報と、読み出した流通業界全体のＰＯＳ情報とを比較する工程と、
比較結果を個々の流通業者のＰＯＳシステムに送信する工程とを含み、
前記比較結果は、仕入商品を選定する為の検討材料として個々の流通業者に用いられることを特徴とする仕入商品選定支援サービス方法としたものである。
【０００９】
また請求項３の発明では、
個々の流通業者のＰＯＳシステムが接続するネットワークに接続されるサーバに、
流通業界全体のＰＯＳ情報を保管手段で保管する工程と、
対象となる商品アイテム或いは商品ジャンルと対象期間とについて、個々の流通業者のＰＯＳ情報を、個々の流通業者のＰＯＳシステムから受信する工程と、
対象となる商品アイテム或いは商品ジャンルと対象期間とについて、流通業界全体のＰＯＳ情報を、保管手段から読み出す工程と、
受信した個々の流通業者のＰＯＳ情報と、読み出した流通業界全体のＰＯＳ情報とを比較する工程と、
比較結果を個々の流通業者のＰＯＳシステムに送信する工程とを実行させ、
前記比較結果は、仕入商品を選定する為の検討材料として個々の流通業者に用いられることを特徴とする仕入商品選定支援サービスプログラムとしたものである。
【発明の効果】
【００１０】
本発明では、個々の流通業者が、個々の流通業者のＰＯＳ情報と、流通業界全体のＰＯＳ情報との比較結果を、仕入商品を選定する為の検討材料として用いることができる。
【００１１】
この比較結果を仕入商品を選定する為の検討材料として用いることより、個々の流通業者が流通業界一般と販売動向でどのような違いがあるのかを把握し、個々の流通業者の取り扱い商品が本当に売れ筋商品であるかどうかを把握できるので、本発明は、個々の流通業者が仕入商品の適正な選定を行えるという効果がある。
【発明を実施するための最良の形態】
【００１２】
以下に、本発明の最良の一実施形態を説明する。
【００１３】
本発明の仕入商品選定支援サービスサーバは、図１に示すように、流通業界全体のＰＯＳ情報を保管するデータベースを有し、ネットワークに接続される。
【００１４】
個々の流通業者のＰＯＳシステムは、図１に示すように、個々の流通業者のＰＯＳ情報を保管するデータベースを有し、ネットワークに接続される。
【００１５】
また個々の流通業者のＰＯＳシステムは、Ｗｅｂブラウザを有する（図示せず）。
【００１６】
ネットワークは、インターネットでも良い。
【００１７】
以下に、本発明の仕入商品選定支援サービスサーバにより仕入商品選定支援サービスが提供される手順の例を、図２のフローチャートに従って説明する。
【００１８】
Ｓ（ＳＴＥＰ）１；
個々の流通業者は、それぞれのＰＯＳシステムのＷｅｂブラウザにて、対象となる商品アイテム或いは商品ジャンルと対象期間とを指定入力する。
【００１９】
Ｓ（ＳＴＥＰ）２；
個々の流通業者のＰＯＳシステムは、それぞれが有するデータベースから、指定入力さ
れた対象となる商品アイテム或いは商品ジャンルと対象期間とについて、個々の流通業者のＰＯＳ情報を読み出す。
【００２０】
Ｓ（ＳＴＥＰ）３；
個々の流通業者のＰＯＳシステムは、対象となる商品アイテム或いは商品ジャンルと対象期間とについて、読み出した個々の流通業者のＰＯＳ情報を、仕入商品選定支援サービスサーバへネットワークを介して送信する。
【００２１】
Ｓ（ＳＴＥＰ）４；
仕入商品選定支援サービスサーバは、対象となる商品アイテム或いは商品ジャンルと対象期間とについて、個々の流通業者のＰＯＳ情報を、個々の流通業者のＰＯＳシステムからネットワークを介して受信する。
【００２２】
Ｓ（ＳＴＥＰ）５；
仕入商品選定支援サービスサーバは、それが有するデータベースから、対象となる商品アイテム或いは商品ジャンルと対象期間とについて、流通業界全体のＰＯＳ情報を読み出す。
【００２３】
Ｓ（ＳＴＥＰ）６；
仕入商品選定支援サービスサーバは、対象となる商品アイテム或いは商品ジャンルと対象期間とについて、受信した個々の流通業者のＰＯＳ情報と、読み出した流通業界全体のＰＯＳ情報とを比較する。
【００２４】
Ｓ（ＳＴＥＰ）７；
仕入商品選定支援サービスサーバは、対象となる商品アイテム或いは商品ジャンルと対象期間とについて、個々の流通業者のＰＯＳ情報と、流通業界全体のＰＯＳ情報との比較結果を、個々の流通業者のＰＯＳシステムへネットワークを介して送信する。
【００２５】
Ｓ（ＳＴＥＰ）８；
個々の流通業者のＰＯＳシステムは、対象となる商品アイテム或いは商品ジャンルと対象期間とについて、個々の流通業者のＰＯＳ情報と、流通業界全体のＰＯＳ情報との比較結果を、仕入商品選定支援サービスサーバからネットワークを介して受信する。
【００２６】
Ｓ（ＳＴＥＰ）９；
個々の流通業者のＰＯＳシステムは、対象となる商品アイテム或いは商品ジャンルと対象期間とについて、個々の流通業者のＰＯＳ情報と、流通業界全体のＰＯＳ情報との比較結果を、Ｗｅｂブラウザにて表示する。図３に、この比較結果の表示例を示す。
【００２７】
Ｓ（ＳＴＥＰ）１０；
個々の流通業者は、対象となる商品アイテム或いは商品ジャンルと対象期間とについて、個々の流通業者のＰＯＳ情報と、流通業界全体のＰＯＳ情報との表示されている比較結果を、次回の仕入商品を選定する為の検討材料とする。
【図面の簡単な説明】
【００２８】
【図１】本発明の仕入商品選定支援サービスサーバと個々の流通業者のＰＯＳシステムとを説明する図。
【図２】本発明の仕入商品選定支援サービスサーバにより仕入商品選定支援サービスが提供される手順の例を示すフローチャート。
【図３】対象となる商品アイテム或いは商品ジャンルと対象期間とについて、個々の流通業者のＰＯＳ情報と、流通業界全体のＰＯＳ情報との比較結果の表示例を示す図。
【図１】
2009003508.tif 000003
【図２】
2009003508.tif 000004
【図３】
2009003508.tif 000005